(57)【要約】【課題】効率的なファイル検索を行うことが可能なコンテンツ処理装置、ファイル検索方法、及びプログラムを提供する。【解決手段】任意のファイルにイルミネーション色情報を付加し、現在選択中のファイル又はフォルダ内にイルミネーション色情報が付加されたファイルがあるか否かを判定し、イルミネーション色情報が付加されたファイルがあると判定した場合に、当該ファイルにイルミネーション色を点灯させ、指定された色のイルミネーション色情報が付加されたファイルを検索する。【選択図】図４
2010244173.tif 000002
【特許請求の範囲】
【請求項１】
ファイルに付加されたイルミネーション色情報に基づいて当該ファイルにイルミネーション色を点灯するマーキング表示手段と、
現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させるマーキング制御手段と、
を備えることを特徴とするコンテンツ処理装置。 
【請求項２】
任意のファイルに前記イルミネーション色情報を付加するマーキング手段を更に備えることを特徴とする請求項１に記載のコンテンツ処理装置。 
【請求項３】
指定された色のイルミネーション色情報が付加されたファイルを検索するイルミネーション検索手段を更に備えることを特徴とする請求項１又は２に記載のコンテンツ処理装置。 
【請求項４】
前記マーキング手段は、
前記イルミネーション色情報を付加したファイルを格納するすべての上位フォルダにも同一のイルミネーション色情報を付加することを特徴とする請求項２又は３に記載のコンテンツ処理装置。 
【請求項５】
前記マーキング制御手段は、
現在選択中のフォルダ内に前記イルミネーション色情報が付加されたファイルが複数あった場合に、当該複数のファイルに付加されたイルミネーション色情報に基づいて複数のイルミネーション色を交互に点灯させることを特徴とする請求項１から４のいずれか一項に記載のコンテンツ処理装置。 
【請求項６】
前記マーキング手段は、
任意のフォルダに前記イルミネーション色情報を付加し、
前記マーキング制御手段は、
現在選択中のフォルダ内に前記マーキング手段によりイルミネーション色情報が付加されたフォルダがあるか否かを判定し、イルミネーション色情報が付加されたフォルダがあると判定した場合に、前記マーキング表示手段により当該フォルダにイルミネーション色を点灯させ、
前記イルミネーション検索手段は、
指定された色のイルミネーション色情報が付加されたフォルダを検索することを特徴とする請求項３から５のいずれか一項に記載のコンテンツ処理装置。 
【請求項７】
マーキング表示手段により、ファイルに付加されたイルミネーション色情報に基づいて当該ファイルにイルミネーション色を点灯する工程と、
マーキング制御手段により、現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させる工程と、
を含むファイル検索方法。 
【請求項８】
コンピュータを、
ファイルに付加されたイルミネーション色情報に基づいて当該ファイルにイルミネーション色を点灯するマーキング表示手段、
現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させるマーキング制御手段、
として機能させるためのプログラム。
【発明の詳細な説明】
【技術分野】
【０００１】
本発明は、コンテンツ処理装置、ファイル検索方法、及びプログラムに関する。
【背景技術】
【０００２】
近年、デジタル技術の普及に伴い、ＣＤ（Compact Disc）などの各種ディスクやフラッシュメモリなどの情報記録媒体に記録された圧縮オーディオファイル等のデータを、ＰＣを介して取り込んで再生するコンテンツ処理装置（オーディオ装置）に関する技術が発達している。
【０００３】
上記したようなオーディオ装置は、取得したデータの管理を容易にすべく、一又は二以上のデータファイルをフォルダに格納し、或いは一又は二以上のフォルダやファイルを、より上位のフォルダに格納するなど階層構造を利用した管理を行っている。そして、ユーザにより与えられる操作に応じて上記したフォルダやファイルを検索し、その存在や名称等を表示させるフォルダ検索機能を備えている。
【０００４】
具体的には、ファイル又はフォルダの検索を指示するための検索キーを押下することにより、オーディオ装置内に格納されているファイル又はフォルダの情報を取得し、ユーザに任意のファイル又はフォルダを選択させることが可能である。
その際、階層を表示できる機能を備えていれば階層ごと表示を行う。一方、例えばサイズが限定される１ＤＩＮ系の比較的安価なカーオーディオのように、表示が１行程度に限定されてしまう場合等、階層を表示できる機能を備えていなければ、階層のアップダウンを行うためのキー操作などの独自の検索システムを提供していた。
【０００５】
例えば、特許文献１には、表示が１行程度に限定されてしまう場合でも、再生可能な楽曲データ（ファイル）の有無と下位フォルダの有無という２種類の情報を同時に表示させることで、フォルダの階層構造を直感的に把握しやすくする技術が開示されている。
【先行技術文献】
【特許文献】
【０００６】
【特許文献１】特開２００４−３０７５９号公報
【発明の概要】
【発明が解決しようとする課題】
【０００７】
しかしながら、従来のオーディオ装置では、ＰＣ（Personal Computer）でのフォルダ表示のようなわかりやすい階層表示を行うことができず、限られた表示でフォルダやファイルの情報を提供するしかなかった。そのため、表示機能に乏しい装置の場合、十分にその情報を提供することができず、操作の効率を上げる妨げとなっていた。
【０００８】
また、フォルダやファイルが多数存在する場合、たとえ目的のファイルがどの階層にあるかをユーザが把握していたとしても、まず表示内容を理解した上で操作を行うことになるため、スムーズな操作を行うことができない。また、一度再生したファイルの所在が、階層を抜けるとわからなくなってしまうなどの問題があった。
【０００９】
また、特許文献１に記載の技術では、階層下の再生可能ファイルの有無を知ることができたが、どのファイルがどの位置に格納されているのかという情報は得られないため、目的のファイルを探すことが困難であった。
【００１０】
本発明は、効率的なファイル検索を行うことが可能なコンテンツ処理装置、ファイル検索方法、及びプログラムを提供することを目的とする。
【課題を解決するための手段】
【００１１】
請求項１に記載の発明は、上記目的を達成するためになされたものであり、コンテンツ処理装置において、ファイルに付加されたイルミネーション色情報に基づいて当該ファイルにイルミネーション色を点灯するマーキング表示手段と、現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させるマーキング制御手段と、を備えることを特徴とする。
【００１２】
請求項２に記載の発明は、請求項１に記載のコンテンツ処理装置において、任意のファイルに前記イルミネーション色情報を付加するマーキング手段を更に備えることを特徴とする。
【００１３】
請求項３に記載の発明は、請求項１又は２に記載のコンテンツ処理装置において、指定された色のイルミネーション色情報が付加されたファイルを検索するイルミネーション検索手段を更に備えることを特徴とする。
【００１４】
請求項４に記載の発明は、請求項２又は３に記載のコンテンツ処理装置において、前記マーキング手段は、前記イルミネーション色情報を付加したファイルを格納するすべての上位フォルダにも同一のイルミネーション色情報を付加することを特徴とする。
【００１５】
請求項５に記載の発明は、請求項１から４のいずれか一項に記載のコンテンツ処理装置において、前記マーキング制御手段は、現在選択中のフォルダ内に前記イルミネーション色情報が付加されたファイルが複数あった場合に、当該複数のファイルに付加されたイルミネーション色情報に基づいて複数のイルミネーション色を交互に点灯させることを特徴とする。
【００１６】
請求項６に記載の発明は、請求項３から５のいずれか一項に記載のコンテンツ処理装置において、前記マーキング手段は、任意のフォルダに前記イルミネーション色情報を付加し、前記マーキング制御手段は、現在選択中のフォルダ内に前記マーキング手段によりイルミネーション色情報が付加されたフォルダがあるか否かを判定し、イルミネーション色情報が付加されたフォルダがあると判定した場合に、前記マーキング表示手段により当該フォルダにイルミネーション色を点灯させ、前記イルミネーション検索手段は、指定された色のイルミネーション色情報が付加されたフォルダを検索することを特徴とする。
【００１７】
請求項７に記載の発明は、マーキング表示手段により、ファイルに付加されたイルミネーション色情報に基づいて当該ファイルにイルミネーション色を点灯する工程と、マーキング制御手段により、現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させる工程と、を含むファイル検索方法である。
【００１８】
請求項８に記載の発明は、コンピュータを、ファイルに付加されたイルミネーション色情報に基づいて当該ファイルにイルミネーション色を点灯するマーキング表示手段、現在選択中のファイル又はフォルダ内にイルミネーション色情報が付加されたファイルがあるか否かを判定し、イルミネーション色情報が付加されたファイルがあると判定した場合に、前記マーキング表示手段により当該ファイルにイルミネーション色を点灯させるマーキング制御手段、として機能させるためのプログラムである。
【発明の効果】
【００１９】
本発明によれば、効率的なファイル検索を行うことが可能なコンテンツ処理装置、ファイル検索方法、及びプログラムを提供することができる。
【図面の簡単な説明】
【００２０】
【図１】本実施形態に係るオーディオ装置１００の概略構成を示すブロック図である。
【図２】マーキングされたファイルを格納するフォルダ間でイルミネーション色情報が共有される様子について示した図である。
【図３】マーキング制御機能について説明した図である。
【図４】本実施形態に係るオーディオ装置１００内で行われるファイル検索処理の一例について示したフローチャートである。
【図５】複数のイルミネーション色を交互に点灯させる様子について示した図である。
【発明を実施するための形態】
【００２１】
以下、本発明の実施の形態を図面に基づいて説明する。なお、本実施形態では、本発明に係るコンテンツ処理装置をオーディオ装置に適用した場合について例示する。
【００２２】
図１は、本実施形態に係るオーディオ装置１００の概略構成を示すブロック図である。
図１に示すように、オーディオ装置１００は、表示部１と、操作部２と、アンプ３と、音声出力部４と、記憶部５と、制御部６と、Ｉ／Ｆ７と、を備えて構成される。
【００２３】
表示部１は、例えば、液晶や有機ＥＬ（Electro Luminescence）等のディスプレイを備え、制御部６から出力された表示データに基づいて、楽曲情報等の各種情報（例えば、楽曲のトラック名や歌詞等のテキストファイル、ジャケット写真等の画像ファイル等）を表示する。また、表示部１は、ファイルに付加されたイルミネーション色情報に基づいて当該ファイルにイルミネーション色を点灯するマーキング表示手段、としての機能を有する。
操作部２は、オーディオ装置１００を操作するための操作キー群（例えば方向指示キー、決定キー、再生キー、停止キー、検索キー、マーキング機能キー、イルミネーション検索機能キー等）を備える。操作部２は、ユーザにより操作キーが押下されると、操作キーに応じた操作信号を生成し、制御部６に出力する。
【００２４】
アンプ３は、制御部６から出力された音声信号を増幅して音声出力部４に出力する。
音声出力部４は、アンプ３から出力された音声信号に基づく音声をヘッドホンやスピーカ、外部機器に出力する。
【００２５】
記憶部５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報等）を有する。
記憶部５に記憶された音声データは、制御部６で信号処理され、音声信号としてアンプ３に出力される。また、記憶部５に記憶された画像ファイルは、制御部６で信号処理され、表示部１に出力される。
【００２６】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、オーディオ装置１００の各部を制御する。
ＣＰＵ６１は、ＲＯＭ６３に格納された処理プログラム等を読み出して、ＲＡＭ６２に展開して実行することにより、オーディオ装置１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＲＯＭ６３は、例えば、半導体メモリで構成され、処理プログラムやデータ等が予め記憶されている。ＲＯＭ６３には、例えば、マーキングされたファイルを検索して再生するファイル検索プログラム等が記憶されている。
ＤＳＰ６４は、音声ファイル、画像ファイル等のエンコードやデコード、音質調整等を行う。
【００２７】
Ｉ／Ｆ７は、例えば、ＳＤカード、ＵＳＢメモリ等の記憶媒体を着脱可能に構成され、当該記憶媒体との間で定められた形式に従って、音声ファイル等の送受信を行う。
【００２８】
次に、本実施形態に係るオーディオ装置１００が備える機能について説明する。
オーディオ装置１００は、マーキング機能と、マーキング制御機能と、イルミネーション検索機能と、を備え、ＣＰＵ６１は、上記した各機能を実現させる。
【００２９】
マーキング機能とは、マーキング機能キーの押下により表示部１にマーキング可能な色の一覧を表示させ、表示された一覧の中からユーザに任意のイルミネーション色を選ばせ、その色をイルミネーション色情報として現在選択中のファイルに付加する機能のことである。ここで設定されたイルミネーション色情報は、付加されたファイルを格納するすべての上位フォルダにも同様に付加される。その様子を図２に示す。
【００３０】
図２は、マーキングされたファイルを格納するフォルダ間でイルミネーション色情報が共有される様子について示した図である。
図２に示すように、オーディオ装置１００の記憶部５は、階層型のフォルダ構造を備えている。最上層のＦ１フォルダ内には、Ｆ１−１フォルダ、Ｆ１−２フォルダ、Ｆ１−３フォルダが格納されている。また、Ｆ１−１フォルダ内には、Ｔ１＿１ファイル、Ｔ１＿２ファイル、Ｔ１＿３ファイルが格納されている。
図中の点滅マークＭ１は、該当するファイル（Ｔ１＿３ファイル）がユーザにより現在選択中であることを示している。また、図中の矢印Ａは、指し示すファイル（Ｔ１＿３ファイル）がユーザによるマーキング操作が行われていることを示している。
ユーザによるマーキング操作によりファイルにイルミネーション色情報（色情報１）が付加されると、当該ファイルを格納する上位フォルダすべて（Ｆ１−１フォルダ、Ｆ１フォルダ）に同じイルミネーション色情報（色情報１）が付加されることとなる。
【００３１】
次に、マーキング制御機能とは、現在選択中のファイル又はフォルダ内にマーキングされたファイルがあった場合に、当該ファイルに付加されたイルミネーション色情報に基づいてイルミネーション色を点灯させ、マーキングされたファイルの位置を示す機能のことである。このマーキング制御機能について、図３を用いて説明する。
【００３２】
図３に示すように、点滅マークＭ１は、該当するフォルダ（Ｆ１フォルダ）がユーザにより現在選択中であることを示している。また、円マークＭ２は、該当するファイル（Ｔ１＿３ファイル）にイルミネーション色情報（色情報１）が付加されマーキングされたことを示している。
オーディオ装置１００は、現在選択中のフォルダ（Ｆ１フォルダ）内にマーキングされたファイルがあるか否かを判定し、マーキングされたファイルがあった場合は、当該ファイル（Ｔ１＿３ファイル）に付加されたイルミネーション色情報（色情報１）に基づいてイルミネーション色を点灯させる。
【００３３】
次に、イルミネーション検索機能とは、イルミネーション検索機能キーの押下により表示部１にイルミネーション検索可能な色の一覧を表示させ、表示された一覧の中からユーザに任意のイルミネーション色を選ばせ、当該イルミネーション色のイルミネーション色情報が付加されているファイル（曲）をダイレクトに検索する機能のことである。
イルミネーション検索機能により検索された曲は、そのまま再生されることとなる。
【００３４】
このように、本実施形態に係るオーディオ装置１００は、ＣＰＵ６１を、現在選択中のファイル又はフォルダ内にイルミネーション色情報が付加されたファイルがあるか否かを判定し、イルミネーション色情報が付加されたファイルがあると判定した場合に、マーキング表示手段（表示部１）により当該ファイルにイルミネーション色を点灯させるマーキング制御手段、として機能させる。また、オーディオ装置１００は、ＣＰＵ６１を、任意のファイルにイルミネーション色情報を付加するマーキング手段、及び指定された色のイルミネーション色情報が付加されたファイルを検索するイルミネーション検索手段、として機能させる。
【００３５】
これにより、ユーザは任意のファイルに意図したイルミネーション色情報を付加することができ、一度マーキングしたファイルを検索する際にはイルミネーション色を点灯させることができる。従って、視覚的、感覚的にそのファイルの位置を示すことが可能となるので、効率的な検索を行うことが可能となる。
また、ユーザが所望する色のイルミネーション色情報に基づいてダイレクトにファイルを選択することができるので、より効率のいいファイル検索を実現することができる。
【００３６】
なお、上記した各機能は、ファイルのみでなくフォルダにおいても実現することが可能である。
以下、オーディオ装置１００において、上記した各機能を実現させるための動作（ファイル検索処理）について、図４を用いて説明する。
【００３７】
図４は、本実施形態に係るオーディオ装置１００内で行われるファイル検索処理の一例について示したフローチャートである。このファイル検索処理は、ユーザにより検索キーが押下されたことを契機に、ＣＰＵ６１がＲＯＭ６３に格納されているファイル検索プログラムを実行することにより実現される。
【００３８】
図４に示すように、ステップＳ１では、検索キー押下時に選択中のファイル又はフォルダ内にマーキングされたファイルがあるか否かを判定する。マーキングされたファイルがあった場合は、次のステップＳ２へと移行し、マーキングされたファイルがなかった場合は、ステップＳ３へと移行する。
ステップＳ２では、マーキングされたファイルに付加されたイルミネーション色情報に基づいてイルミネーション色を点灯させる。
【００３９】
ステップＳ３では、ユーザによりマーキング機能キーが押下されたか否かを判定する。マーキング機能キーが押下された場合は、表示部１にマーキング可能な色の一覧が表示され、次のステップＳ４へと移行する。一方、マーキング機能キーが押下されなかった場合は、ステップＳ６へと移行する。
ステップＳ４では、ユーザにより任意の色が選択されたか否かを判定する。ユーザにより任意の色が選択されると、次のステップＳ５へと移行する。
ステップＳ５では、ステップＳ４でユーザに選択された色をイルミネーション色情報として選択中のファイルに新たに付加する。
【００４０】
ステップＳ６では、ユーザによりイルミネーション検索機能キーが押下されたか否かを判定する。イルミネーション検索機能キーが押下された場合は、表示部１にイルミネーション検索可能な色の一覧が表示され、次のステップＳ７へと移行する。一方、イルミネーション検索機能キーが押下されなかった場合は、ステップＳ８へと移行する。
ステップＳ７では、ユーザにより任意の色が選択されたか否かを判定する。ユーザにより任意の色が選択されると、当該色のイルミネーション色情報が付加されているファイル（曲）を検索し、ステップＳ９へと移行する。
ステップＳ８では、ユーザにより任意のファイル（曲）が選択されたか否かを判定する。ユーザにより任意の曲が選択されると、ステップＳ９へと移行する。
【００４１】
ステップＳ９では、ステップＳ７又はステップＳ８でユーザにより選択された曲の再生を行う。
【００４２】
以上、本発明に係る実施形態に基づいて具体的に説明したが、本発明は上記実施形態に限定されるものではなく、その要旨を逸脱しない範囲で変更可能である。
【００４３】
例えば、図５に示すように、現在選択中のフォルダ内にイルミネーション色情報が付加されたファイルが複数あった場合には、当該複数のファイル（Ｔ１＿３ファイル、Ｔ３＿２ファイル）に付加されたイルミネーション色情報（色情報１、色情報２）に基づいて複数のイルミネーション色を交互に点灯させるようにしてもよい。
【００４４】
その他、オーディオ装置１００を構成する各装置の細部構成及び細部動作に関しても、本発明の趣旨を逸脱することのない範囲で適宜変更可能である。
【符号の説明】
【００４５】
１００  オーディオ装置
１  表示部
２  操作部
３  アンプ
４  音声出力部
５  記憶部
６  制御部
６１  ＣＰＵ
６２  ＲＡＭ
６３  ＲＯＭ
６４  ＤＳＰ
７  Ｉ／Ｆ
【図１】
2010244173.tif 000003
【図２】
2010244173.tif 000004
【図３】
2010244173.tif 000005
【図４】
2010244173.tif 000006
【図５】
2010244173.tif 000007